(57)【要約】【課題】使用者が鏡を見やすく、キャビネット内部の収納物を取り出しやすく、使用状況に対応して使い勝手が良いミラーキャビネットを実現する。【解決手段】  ミラーキャビネット１は、収納部２を鏡扉３で覆い、鏡扉３が開閉可能に構成されたミラーキャビネット１において、鏡扉３は、収納部２に取り付けられたリンク部材８と、リンク部材８に取り付けられた枠部材５と、枠部材５にヒンジ６を介して取り付けられた鏡７と、から成り、リンク部材５を介して枠部材５が回動することにより、鏡７が収納部２の手前側下方に移動自在に形成されていることを特徴とする。【選択図】図２
2005205160.tif 000002
【特許請求の範囲】
【請求項１】
収納部を鏡扉で覆い、該鏡扉が開閉可能に構成されたミラーキャビネットにおいて、
前記鏡扉は、前記収納部に取り付けられたリンク部材と、該リンク部材に取り付けられた枠部材と、該枠部材にヒンジを介して取り付けられた鏡と、から成り、前記リンク部材を介して前記枠部材が回動することにより、前記鏡が前記収納部の手前側下方に移動自在に形成されていることを特徴とするミラーキャビネット。
【請求項２】
収納部を、鏡扉と該鏡扉の側方に隣接する側方鏡扉とで覆い、該鏡扉と該側方鏡扉とが開閉可能に構成されたミラーキャビネットにおいて、
前記鏡扉は、前記収納部に取り付けられたリンク部材と、該リンク部材に取り付けられた枠部材と、該枠部材にヒンジを介して取り付けられた鏡と、から成り、前記リンク部材を介して前記枠部材が回動することにより、前記鏡が前記収納部の手前側下方に移動自在に形成され、
前記側方鏡扉は、前記収納部にヒンジを介して取り付けられており、前記鏡扉側へ開閉可能に形成されていることを特徴とするミラーキャビネット。
【請求項３】
収納部を、鏡扉と該鏡扉の側方に隣接する側方鏡扉とで覆い、該鏡扉と該側方鏡扉とが開閉可能に構成されたミラーキャビネットにおいて、
前記鏡扉は、前記収納部に取り付けられたリンク部材と、該リンク部材に取り付けられた枠部材と、該枠部材にヒンジを介して取り付けられた鏡と、から成り、前記リンク部材を介して前記枠部材が回動することにより、前記鏡が前記収納部の手前側下方に移動自在に形成され、
前記側方鏡扉は、前記収納部にヒンジを介して取り付けられた側方枠部材と、該側方枠部材にヒンジを介して取り付けられた側方鏡と、から成り、該側方鏡は、前記鏡扉側へ開閉可能に形成されているとともに、前記鏡扉側と反対側へ開閉可能に形成されていることを特徴とするミラーキャビネット。
【請求項４】
請求項１から３のいずれかに記載のミラーキャビネットにおいて、前記鏡扉の上部に照明器具が一体的に形成されていることを特徴とするミラーキャビネット。
【請求項５】
請求項１から４のいずれかに記載のミラーキャビネットにおいて、前記鏡が前記収納部の手前側下方への移動を防止するロック機能を備えていることを特徴とするミラーキャビネット。
【発明の詳細な説明】
【技術分野】
【０００１】
この発明は、浴室や洗面化粧台等に設けられる、鏡扉が取り付けられたミラーキャビネットに関する。
【背景技術】
【０００２】
従来からの洗面化粧台では、洗面台（水栓）が設置され、この洗面台の例えば正面向こう側に、鏡扉が取り付けられたキャビネット（以下、ミラーキャビネットという）が設置されていることが多い。また、ミラーキャビネットには、例えば、１枚の鏡扉が取り付けられているタイプのものや、複数の鏡扉が取り付けられているタイプ、具体的には、中央の鏡扉とその片側又は両側に隣接して側方鏡扉が取り付けられているタイプのものがある。
【０００３】
複数の鏡扉が取り付けられているタイプのミラーキャビネットでは、側方鏡扉を開けた状態において、この側方鏡扉と中央の鏡扉とで便利な合わせ鏡となる場合が多い。そのため、側方鏡扉は、中央の鏡扉側へ開閉する内開きとなっている。
【０００４】
上記のような洗面化粧台を用いて、使用者が鏡扉の鏡を見ながらひげ剃り又は化粧等を行う場合、通常、鏡扉の位置に合わせて立った姿勢で作業を行っている。
【０００５】
また、上記のような洗面化粧台では、ミラーキャビネットの鏡扉の鏡と使用者との間に洗面台が設置されているため、使用者は、顔の細部等を見たい場合には、鏡に近づくために、腰を屈めた姿勢を取ることも多い。
【０００６】
ところで、ミラーキャビネットに関し、下記の特許文献１には、ミラーキャビネットに形成された収納棚に、該収納棚内の収納空間を開閉し得る前方側へ引き出し可能な扉を設けたことを特徴とするミラーキャビネットが開示されている（特許文献１参照）。
【特許文献１】実開平３−７３３８２号公報（第１頁、第１図）
【発明の開示】
【発明が解決しようとする課題】
【０００７】
上記従来の洗面化粧台では、ミラーキャビネットに設けられた鏡扉の鏡の位置は、使用者が立った状態に合わせて設置され固定されていることが多いため、座った状態では、顔の位置よりも、鏡の位置が高すぎる。このため、使用者が洗面化粧台の前で椅子に座ってゆっくり化粧等の作業をすることが難しく、使い勝手が悪い。
【０００８】
また、従来の洗面化粧台では、ミラーキャビネットに取り付けられた鏡扉の鏡と使用者との間に洗面台が設置されているため、使用者から鏡までの距離が遠い。したがって、使用者が直立したままでは顔の細部等が見づらく、顔の細部等を見たい場合には鏡に近づく必要があり、そのために腰を屈めなければならない等の苦痛を伴う。
【０００９】
さらには、複数の鏡扉が取り付けられているタイプのミラーキャビネットでは、側方鏡扉と中央の鏡扉とで合わせ鏡となる機能を備えるように、側方鏡扉が内開きとなっていることが多い。このため、使用者は、側方鏡扉の奥に配置されたキャビネット内部の収納部から収納物を取り出す場合には、内開きとなっている側方鏡扉を中央の鏡扉側へ開けて、側方から手を伸ばす等してキャビネット内部の収納物を取り出さなければならず、収納物を取り出しにくい。
【００１０】
本発明は、上記に鑑み、使用者が鏡を見やすく、キャビネット内部の収納部から収納物を取り出しやすく、使用状況に対応して使い勝手が良いミラーキャビネットを実現することを課題とするものである。
【課題を解決するための手段】
【００１１】
本発明は上記課題を解決するために、収納部を鏡扉で覆い、該鏡扉が開閉可能に構成されたミラーキャビネットにおいて、前記鏡扉は、前記収納部に取り付けられたリンク部材と、該リンク部材に取り付けられた枠部材と、該枠部材にヒンジを介して取り付けられた鏡と、から成り、前記リンク部材を介して前記枠部材が回動することにより、前記鏡が前記収納部の手前側下方に移動自在に形成されていることを特徴とするミラーキャビネットを提供する。
【００１２】
また本発明は、収納部を、鏡扉と該鏡扉の側方に隣接する側方鏡扉とで覆い、該鏡扉と該側方鏡扉とが開閉可能に構成されたミラーキャビネットにおいて、前記鏡扉は、前記収納部に取り付けられたリンク部材と、該リンク部材に取り付けられた枠部材と、該枠部材にヒンジを介して取り付けられた鏡と、から成り、前記リンク部材を介して前記枠部材が回動することにより、前記鏡が前記収納部の手前側下方に移動自在に形成され、前記側方鏡扉は、前記収納部にヒンジを介して取り付けられており、前記鏡扉側へ開閉可能に形成されていることを特徴とするミラーキャビネットを提供する。
【００１３】
また本発明は、収納部を、鏡扉と該鏡扉の側方に隣接する側方鏡扉とで覆い、該鏡扉と該側方鏡扉とが開閉可能に構成されたミラーキャビネットにおいて、前記鏡扉は、前記収納部に取り付けられたリンク部材と、該リンク部材に取り付けられた枠部材と、該枠部材にヒンジを介して取り付けられた鏡と、から成り、前記リンク部材を介して前記枠部材が回動することにより、前記鏡が前記収納部の手前側下方に移動自在に形成され、前記側方鏡扉は、前記収納部にヒンジを介して取り付けられた側方枠部材と、該側方枠部材にヒンジを介して取り付けられた側方鏡と、から成り、該側方鏡は、前記鏡扉側へ開閉可能に形成されているとともに、前記鏡扉側と反対側へ開閉可能に形成されていることを特徴とするミラーキャビネットを提供する。
【００１４】
前記ミラーキャビネットにおいて、前記鏡扉の上部に照明器具が一体的に形成されていることが好ましい。
【００１５】
前記ミラーキャビネットにおいて、前記鏡が前記収納部の手前側下方への移動を防止するロック機能を備えていることが好ましい。
【発明の効果】
【００１６】
以上の構成から成る本発明に係るミラーキャビネットによると、使用者が鏡を見やすく、キャビネット内部の収納物を取り出しやすく、使用状況に対応して使い勝手が良いミラーキャビネットを実現することができる。
【発明を実施するための最良の形態】
【００１７】
本発明に係るミラーキャビネットを実施するための最良の形態を実施例に基づいて図面を参照して説明する。
【実施例１】
【００１８】
図１（ａ）（ｂ）はそれぞれ、本発明の実施例１に係るミラーキャビネット１の正面図と、側面図である。ミラーキャビネット１は、収納部（キャビネット）２と、収納部２を覆い開閉可能に構成された鏡扉３と、鏡扉３の上部に設置された照明器具４とを備える。
【００１９】
図２に、鏡扉３を展開した状態におけるミラーキャビネット１の模式的な斜視図を示す。ミラーキャビネット１の収納部２は、開口部２ａを有する箱状に形成されている。そして、鏡扉３は、収納部２に台座（図示せず）を介して取り付けられたリンク部材８と、リンク部材８に取り付けられた枠部材５と、枠部材５にヒンジ６を介して取り付けられた鏡７と、から成る。
【００２０】
本発明の特徴の一つは、鏡扉３が昇降機能を有することである。以下に、より詳しく説明する。図３に、リンク部材８が枠部材５と収納部２とに取り付けられたより正確な構造を示す。分かりやすくするため、図３では、収納部２及び鏡７は点線で示されており、照明器具４（図２参照）は、図示を省略している。
【００２１】
図２、図３に示すように、本実施例では、左右２本づつのリンク部材８夫々の一端８ａが、収納部２の両側面内側２ｂに台座１１を介して、例えばリベット９’（本発明におけるリベットは枢着軸として機能するものである。）により回動可能に取り付けられている。なお、台座１１は、リンク部材８を取り付ける際に収納部２の側面を補強するために用いられるものである。
【００２２】
一方、枠部材５は、収納部２に形成された開口部２ａの周縁部２ｃに沿って、四角い枠形状に形成されている。この枠部材５に、リンク部材８夫々の他端８ｂが、例えばリベット９により回動可能に取り付けられている。また、図２に示されるように、左右のリンク部材８を繋ぐように、補強部材１２が設けられている。補強部材１２により、リンク部材８、ひいては鏡扉３自体が補強され、より安定した状態で移動できるように構成されている。リンク部材８を介して枠部材５は、図３の矢印ｇで示されるように、収納部２の手前側下方に移動自在に回動することができる。
【００２３】
左右２本づつあるリンク部材８のうち一方のリンク部材の一端８ａ’には、ダンパ１０が取り付けられている。ダンパ１０は、リンク部材８が回動して鏡扉３が収納部２の手前側下方に移動して来る（降りて来る）際に、鏡扉３にかかる力（例えば自重）を吸収し軽減する役割を有する。言い換えれば、ダンパ１０により鏡扉３を収納部２の手前側下方にゆっくり移動させることができる。また、左右２本づつあるリンク部材８のうち、もう一方のリンク部材の一端には、例えば渦巻きバネ（図示せず）を取り付けることができる。これにより、収納部２の手前側下方に移動させた状態にある鏡扉３を、再び収納部２の方へ持ち上げて元の位置まで戻すのに必要な力を軽減させることができる。
【００２４】
図２に示すように、枠部材５には、ヒンジ６を介して鏡７が開閉可能に取り付けられている。枠部材５が回動することにより、枠部材５に取り付けられている鏡７も枠部材５と共に、収納部２の手前側下方に移動自在に回動することができる。なお、鏡７は、鏡扉３が収納部２の開口部２ａを覆った状態においても、枠部材５の回動に伴い収納部２の手前側下方に移動した状態においても、同様に、ヒンジ６を介して開閉することができる。
【００２５】
鏡扉３の上部、より具体的には、枠部材５の上部５ａには、照明器具４が一体的に形成されている。このため、枠部材５の回動に伴い、照明器具４も枠部材５及び鏡７と共に回動する。このように、鏡扉３は、収納部２の手前側下方に移動自在に回動する昇降機能を有する。
【００２６】
ミラーキャビネット１では、昇降機能を有する鏡扉３の枠部材５を収納部２にロックする機能がある。具体的には、枠部材５にレバーラッチ１３が設けられると共に、収納部２のレバーラッチ１３に対応する位置に凹部１３ａが形成されている。図８に、レバーラッチ１３の模式的な拡大図を示す。図８には、レバーラッチ１３がミラーキャビネット１に備えられた状態における、枠部材５の側面図及び収納部２の断面図が部分的に示されている。
【００２７】
レバーラッチ１３の係合部材１３ｅは、例えばバネ１３ｂにより、本実施例では図８の紙面上反時計回りに付勢されている。係合部材１３ｅの下方には取っ手部１３ｄが設けられており、同様にバネ１３ｂにより付勢されている。収納部２に形成された凹部１３ａには、例えばＬ字型金具１３ｃが取り付けられており、係合部材１３ｅと係合することができる。
【００２８】
鏡扉３を収納部２に隣接させた状態では、係合部材１３ｅがＬ字型金具１３ｃに係合することにより、枠部材５が収納部２にロックされている。これにより、鏡扉３を昇降させずに鏡７のみを開閉したい場合には、枠部材５が誤動作して収納部２の手前側下方に移動するのを防ぐことができ、安全性を確保できる。鏡扉３を昇降させたい場合には、取っ手部１３ｄを持って、図８の紙面上時計回りに回すと、Ｌ字型金具１３ｃから係合部材１３ｅの係合を外すことができ、鏡扉３を昇降させることができる。
【００２９】
図４は、鏡扉３が収納部２の手前側下方に移動している状態を示すミラーキャビネット１の側面図である。具体的には、枠部材５並びに枠部材５に取り付けられた照明器具４及び鏡７が、リンク部材８を介して矢印ｇで示される収納部２の手前側下方に移動している状態を示す。図４では、収納部２に隣接していた枠部材５、鏡７、及び照明器具４（図４に点線で示す）は、リンク部材８を介して枠部材５が回動することにより、実線で示される収納部２の手前側下方に移動している（図４に実線で示す）。
【００３０】
本実施例のミラーキャビネット１によれば、鏡扉３が昇降機能を有し、収納部２の手前側下方に移動するので、洗面化粧台等の奥に設置されたミラーキャビネット１の手前に洗面台（水栓）が設置されている場合でも、その水栓を超えて奥から手前に鏡７を移動させる（引き出す）ことができる。このため、使用者は座った状態でも、手前側下方に移動させた鏡７の位置と、座った状態における顔の位置とを合わせることができ、顔全体を鏡７に映すことができる。さらには、手前に鏡扉３を移動させるので、使用者の顔等の細部まで鏡７に映すことができる。なお、鏡扉３が収納部２の開口部２ａを覆った状態（鏡扉３を収納部２の手前側下方に移動させていない状態）では、使用者は、立ったまま顔や姿等の全体像を鏡７に映すことができる。このように、使用者の使用状況に対応して鏡７の位置を移動できるため使い勝手がよい。
【００３１】
また、照明器具４が鏡扉３と共に連動して昇降できるため、鏡扉３を収納部２の手前側下方に移動させた状態においても、照明器具４により使用者の顔等を鏡７に明るく映すことができ、使用者は鏡７が見やすい。
【００３２】
さらに、鏡扉３が収納部２の開口部２ａを覆った状態でも、鏡扉３を収納部２の手前側下方に移動させた状態でも、鏡７を開閉することができる。このため、使用者は、立った状態においても座った状態においても、鏡７を開閉して、収納部２内から収納物を容易に取り出すことができ、利便性が向上する。
【実施例２】
【００３３】
図５（ａ）（ｂ）はそれぞれ、本発明の実施例２に係るミラーキャビネット３１の正面図と、側面図である。また、図６（ａ）は、ミラーキャビネット３１の平面図である。実施例２のミラーキャビネット３１は、実施例１のミラーキャビネット１の両側方に、収納部３２と収納部３２を覆う側方鏡扉３３とが備えられて構成されている。このため、実施例２では、実施例１と同様の構成部分には、同一の符号を付して説明を省略する。
【００３４】
ミラーキャビネット３１は、収納部２、３２を、鏡扉３と鏡扉３の側方に隣接する側方鏡扉３３とで覆っている。要するに、実施例１のミラーキャビネット１と同様に収納部２を鏡扉３で覆う一方、収納部２の両側方に隣接して設けられる収納部３２を、それぞれ２組の側方鏡扉３３で覆っている。鏡扉３は、実施例１で述べたように開閉可能に構成されている。そして、側方鏡扉３３も、開閉可能に構成されている。
【００３５】
図６（ａ）（ｂ）を用いて、ミラーキャビネット３１の側方鏡扉３３が開閉される構成について説明する。図６（ａ）には、２組の側方鏡扉３３のうち一方（図６（ａ）紙面向かって左側）の側方鏡扉３３が開かれた状態のミラーキャビネット３１の平面図が示されている。また、図６（ｂ）は、１組（図６（ａ）紙面向かって右側）の側方鏡扉３３の模式的な斜視図である。図６（ｂ）には、開かれた状態の側方鏡扉３３が示されている。
【００３６】
２組のうち夫々の側方鏡扉３３は、収納部３２にヒンジ３８を介して取り付けられた側方枠部材３５と、側方枠部材３５にヒンジ３６を介して取り付けられた側方鏡３７と、から成る。側方枠部材３５は、図６（ｂ）に示されるように、例えば、側方端が開放されたコの字状に形成されている。収納部３２は、収納部２と同様に開口部３２ａを有し、開口部３２ａの周囲には、収納部３２の周縁部３２ｃが形成されている。この周縁部３２ｃに側方枠部材３５がヒンジ３８を介して取り付けられている。そして、側方枠部材３５にヒンジ３６を介して取り付けられた側方鏡３７は、ヒンジ３６により中央の鏡扉３側へ開閉可能に構成されている。要するに、側方枠部材３５に対して側方鏡３７を開けた場合、側方鏡３７は、中央の鏡扉３側へ開閉する内開きとなるように構成されている。このため、内開きとなる側方鏡３７は、中央の鏡７とで合わせ鏡として利用することができる。
【００３７】
一方、側方枠部材３５は、ヒンジ３８により収納部３２に対して、中央の鏡扉３側と反対側へ開閉可能に形成されている。要するに、側方枠部材３５は、中央の鏡扉３側と反対側へ開閉する外開きとなるように構成されている。
【００３８】
したがって、側方鏡３７は、ヒンジ３６により中央の鏡扉３側へ開閉することができる（内開き）と共に、側方枠部材３５を介してヒンジ３８により、中央の鏡扉３側と反対側へ開閉することができる（外開き）、両開きの機能を有している。これにより、従来は、側方鏡３７と中央の鏡７とで合わせ鏡となるように、側方鏡３７が内開きに形成されることが多く、収納部３２から収納物を取り出しにくい場合があったことと比べて、利便性を向上させることができる。
【００３９】
このような構造の側方鏡扉３３は、ヒンジ３６及びヒンジ３８により側方鏡３７と側方枠部材３５との両方を同時に開くことで、側方鏡３７を収納部３２の手前側へ移動させる（前方に出させる）ことができる。
【００４０】
収納部３２の手前側へ側方鏡３７を移動させると共に、実施例１と同様にして収納部２の手前側下方に鏡扉３の鏡７を移動させることにより、側方鏡３７及び鏡７を前方に出させた状態で、両者により合わせ鏡を作ることができる。よって、本実施例のミラーキャビネット３１では、使用者がいる位置により近い場所で、合わせ鏡として利用することができる。
【００４１】
また、側方鏡扉３３においても、鏡扉３で述べた効果と同様に、側方鏡扉３３が収納部３２の開口部３２ａを覆った状態でも、側方鏡扉３３を収納部３２の手前側に移動させた状態でも、側方鏡３７を開閉することができる。このため、使用者は、いずれの状態においても側方鏡３７を開閉して、収納部３２内から収納物を容易に取り出すことができ、利便性が高められる。
【００４２】
また、使用者の使用状況に対応して、側方鏡３７の位置を移動できるため使い勝手がよい。その他、実施例２においても、実施例１で述べたのと同様の効果を得ることが出来る。
【００４３】
なお、本実施例では、側方鏡３７は、中央の鏡扉３側へ開閉することができる（内開き）と共に、側方枠部材３５を介して中央の鏡扉３側と反対側へ開閉することができる（外開き）、両開きの機能を有する。一方、側方枠部材３５を設けずに、側方鏡３７を収納部３２にヒンジを介して直接取り付けることも考えられる。この場合においても、側方鏡３７を、中央の鏡扉３側へ開閉することができるように（内開きとなるように）構成する。これにより、側方鏡３７を開けたときに、中央の鏡７とで合わせ鏡となるようにすることができる。
【００４４】
（変形例）
図７（ａ）は、実施例１の変形例に係る鏡扉５３の鏡を省略した状態を示す側面図である。また、図７（ｂ）は、鏡扉５３に用いられる枠部材５の模式的な平面図である。本変形例では、実施例１と同様の構成部材について、同一の参照符号を付し、説明及び図７での図示を省略する。鏡扉５３は、収納部２に取り付けられたリンク部材５８と、リンク部材５８に取り付けられた枠部材５と、枠部材５にヒンジ６を介して取り付けられた鏡７（図２、図３参照）と、から成る。
【００４５】
図７（ａ）には、リンク部材５８が枠部材５と収納部２とに取り付けられる構造が示されている。本変形例では、リンク部材５８が、枠部材５の左右に夫々１組づつ取り付けられている。１組のリンク部材５８は、下方に位置するリンク部材（「下部リンク部材」という。）５８ａと、枠部材５の上方に位置するリンク部材（「上部リンク部材」という。）５８ｂ、５８ｃと、で構成される。
【００４６】
リンク部材５８ｃの一端は、枠部材５に固着されており、リンク部材５８ｃの他端は、リベット５９ｂにより上部リンク部材５８ｂの一端に枢着されている。そして、上部リンク部材５８ｂの他端５８ｂ’は、収納部２の側面内側に台座６３を介して例えばリベットにより回動可能に取り付けられている。台座６３は、実施例１と同様に、リンク部材５８を取り付ける際に収納部２の側面を補強するために用いられるものである。
【００４７】
本変形例においても、実施例１と同様に左右のリンク部材５８を繋ぐように、補強部材６２が設けられており、リンク部材５８、ひいては鏡扉５３自体が補強され、より安定した状態で移動できるように構成されている。また、左右２本づつあるリンク部材５８のうち一方のリンク部材の一端５８ｂ’には、実施例１と同様に、ダンパ６０が取り付けられている。さらに、左右２本づつあるリンク部材５８のうち、もう一方のリンク部材の一端には、実施例１と同様に、例えば渦巻きバネ（図示せず）が取り付けられている。ダンパ６０及び渦巻きバネの役割は、実施例１と同様であるため、説明を省略する。
【００４８】
一方、下部リンク部材５８ａの一端５８ａ”は、例えばリベット５９ａにより枠部材５に回動可能に取り付けられており、下部リンク部材５８ａの他端５８ａ’は、例えばリベット５９ｃにより、収納部２の側面内側に台座６３を介して回動可能に取り付けられている。
【００４９】
本変形例においても、リンク部材５８を介して枠部材５が回動することにより、鏡扉５３、ひいては鏡７を収納部２（いずれも図２参照）の手前側下方に移動させることができる。図７（ａ）には、収納部２にリンク部材５８が隣接した状態の鏡扉５３が点線で示され、収納部２の手前側下方に移動した状態の鏡扉５３が実線で示されている。
【００５０】
本変形例の特徴の一つは、図７（ａ）に示されるように、上部リンク部材５８ｂが略くの字形状に形成されていることである。上部リンク部材５８ｂを略くの字形状に形成することにより、以下の効果を有する。即ち、リンク部材５８を収納部２に設置し、リンク部材５８の高さの位置に水平方向に棚を形成する場合、収納部２の棚にリンク部材５８が当たって設置の邪魔にならないように、通常、棚に切り欠き部（ノッチ）を形成する必要がある。切り欠き部は浅いほど成形加工し易く、成形加工時に収納部に生じ得る割れ等の不良品の発生を少なくすることができる。さらに、切り欠き部の成形加工については、深さと幅とが比例する関係にある。つまり、深い切り欠き部を成形加工しようとするほど、切り欠き部の幅も大きくなってしまう。
【００５１】
上記のような切り欠き部の深さは、収納部２の開口部２ａ入り口から収納部２に設置されたリンク部材の最奥部までの距離で表される。仮に、略くの字形状に形成しないリンク部材１８ｂを収納部２に設置した場合（図７（ａ）の二点鎖線で示す）、収納部２の開口部２ａ入り口からリンク部材１８ｂの最奥部までは、距離（切り欠き部の深さ）ｇ１で表される。これに対し、本実施例のように略くの字形状に形成したリンク部材５８を収納部２に設置する場合、収納部２の開口部２ａ入り口からリンク部材５８の最奥部までは、距離（切り欠き部の深さ）ｇ２で表され、距離ｇ１よりも短くすることができる。
【００５２】
要するに、リンク部材５８を略くの字形状に形成することにより、リンク部材５８の高さの位置に水平方向に棚を形成する場合、収納部２の棚に成形加工する切り欠き部の深さを浅くすることができ、切り欠き部の成形加工がし易く、成形加工時に生じ得る不良品の発生も低減できるのである。さらに、切り欠き部を浅く成形加工することができるので、これに伴い切り欠き部の幅も小さくできる。その結果、収納部の棚に形成された切り欠き部が占める面積を小さくすることができ、棚自体の広さを確保することができる。
【００５３】
そして、上部リンク部材５８ｂを略くの字形状に形成することにより、収納部２に配置された棚等に上部リンク部材５８ｂを干渉させることなく回動させることができ、鏡扉５３をスムーズに収納部２の手前側下方に移動させることができる。
【００５４】
本変形例では、例えば台座６３にストッパ６４が突設されている。ストッパ６４は、上部リンク部材５８ｂが回動する際の、下部リンク部材５８ａの回動の下限を位置決めする役割を有する。ストッパ６４は、例えばゴムや樹脂で形成することができる。回動してきた上部リンク部材５８ｂは、ストッパ６４に当接することにより回動が止められて位置決めされ、鏡扉５３の位置が定まる。
【００５５】
上部リンク部材５８ｂを位置決めするためのストッパ６４を設けることにより、以下の効果を有する。略くの字形状に形成された上部リンク部材５８ｂがストッパ６４に当接する場合、略くの字形状に形成していないリンク部材がストッパ６４に当接する場合に比べて、上部リンク部材５８ｂがストッパ６４と当接する面積が大きい。したがって、上部リンク部材５８ｂの回動を停止させるというストッパ６４の位置決めの効果を最大限に発揮させることが出来る。また、略くの字形状に形成された上部リンク部材５８ｂでは、より水平に近い角度でストッパ６４に当接することができるので、偏った（局所的な）力がストッパ６４にかからず、ストッパ６４自体の摩耗や損傷を最小限にすることができ、ストッパ６４の耐久性を向上させることができる。なお、ストッパ６４は、本変形例に限らず、既に述べた実施例１、２において設けても良い。また、本変形例にかかる鏡扉５３を実施例１、実施例２のミラーキャビネット１、３１の鏡扉として用いてもよい。
【実施例３】
【００５６】
図９、１０は、実施例３を説明する図である。この実施例３は、実施例１の前記変形例とほぼ同じ構成であるが、その構成の一部について下記に説明する特徴を有するものである。この特徴的な構成を中心に、実施例３を以下に説明する。なお、実施例３は、前記変形例とほぼ同じ構成であるから、変形例と同じ構成については同じ符号を付し、ここでは特にその説明は省略するが、特徴的な構成等、説明上必要な構成については新たに符号を付して説明する。
【００５７】
図９は、本実施例３の原理を説明する模式図であり、図９（ａ）は実施例３と対比するために挙げた例の原理の説明図であり、図９（ｂ）は実施例３の原理の説明図である。図９（ａ）、８（ｂ）において、収納部２に鏡扉５３が、左右一対の下部リンク部材５８ａ、５８ａ’と上部リンク部材５８ｂにより、回動可能に取り付けられている。下部リンク部材５８ａ、５８ａ’はリベット５９ａ、５９ｃにより、鏡扉５３、収納部２にそれぞれ枢着されている。上部リンク部材５８ｂはリベット５９ｂ、５９ｄにより、鏡扉５３、収納部２にそれぞれ枢着されている。このようなリンク機構により、鏡扉５３を、手前側下方に引き出すことができるとともに、矢印に示すように、収納部２の前面に沿う位置である通常の状態に戻すことができる。
【００５８】
図９（ａ）は、上部リンク部材５８ｂの支点間距離Ｘ（上部リンク部材５８ｂのリベット５９ｂ、５９ｄによりそれぞれ枢着されている支点の間の距離）と、下部リンク部材５８ａの支点間距離Ｙ（下部リンク部材５８ａのリベット５９ａ、５９ｃによりそれぞれ枢着されている支点の間の距離）が互いに同じ（Ｘ＝Ｙ）である。従って、上部リンク部材５８ｂの回動軌跡の半径Ｘと下部リンク部材５８ａの回動軌跡の半径Ｙとが同じである。このような構成であると、図９（ａ）に示すように、鏡扉５３を収納部２側の通常状態に戻した状態では、鏡扉５３の自重により上端５３ｕが下端５３ｄより前方に出て全体として前方に傾いた状態になりやすく、鏡扉５３の上端と収納部２との間に隙間ｓが生じてしまう。この結果、通常状態で鏡扉５３が前倒れ状態で保持されてしまうことになりやすい。
【００５９】
そこで、図９（ｂ）に示すように、上部リンク部材５８ｂの支点間距離Ｘより、下部リンク部材５８ａ’の支点間距離Ｙ’（下部リンク部材５８ａ’のリベット５９ａ、５９ｃによりそれぞれ枢着されている支点の間の距離）を若干長く（Ｘ＜Ｙ’）形成する。このような構成であると、図９（ｂ）に示すように、鏡扉５３を収納部２側の通常状態に戻した状態では、鏡扉５３が収納部２の前面に沿うようになり、鏡扉５３の上端５３ｕが下端５３ｄより前方側に出て全体が前方に傾いた状態となるようなことが防止され、図９（ａ）のような隙間ｓは生じない。この結果、通常状態で鏡扉５３が前倒れ状態になることを防止できる。実施例３は、この図９（ｂ）の原理に基づき、上部リンク部材５８ｂの回動軌跡の半径Ｘを、下部リンク部材５８ａの回動軌跡の半径Ｙ’より小さくする（Ｘ＜Ｙ’）ものである。
【００６０】
なお、上部リンク部材５８ｂの支点間距離Ｘより、下部リンク部材５８ａ’の支点間距離Ｙ’を長くして上述のように鏡扉５３の前倒れを防止するためには、上部リンク部材５８ｂの収納部２への取り付け位置（リベット５９ｄの位置）と、下部リンク部材５８ａ’の収納部２への取り付け位置（リベット５９ｃの位置）を鉛直方向でほぼ同一直線上にしておく必要がある。
【００６１】
図１０は、図９の原理に基づく実施例３の具体的な構成を説明する図である。図１０（ａ）は図９（ａ）に対応する構成に相当する。図１０（ｂ）は図９（ｂ）に対応する実施例３の構成である。
【００６２】
図１０（ａ）では、下部リンク部材５８ａはリベット５９ａ、５９ｃにより、鏡扉５３、収納部２にそれぞれ枢着されている。上部リンク部材５８ｂはリベット５９ｂ、５９ｄにより、鏡扉５３に固定されたリンク部材５８ｃ、収納部２にそれぞれ枢着されている。上部リンク部材５８ｂの支点間距離Ｘ（上部リンク部材５８ｂのリベット５９ｂ、５９ｄによりそれぞれ枢着されている支点の間の距離）と、下部リンク部材５８ａの支点間距離Ｙ（下部リンク部材５８ａのリベット５９ａ、５９ｃによりそれぞれ枢着されている支点の間の距離）が互いに同じ（Ｘ＝Ｙ）である。この場合は、上部リンク部材５８ｂの回動軌跡の半径Ｘと下部リンク部材５８ａの回動軌跡の半径Ｙとが同じ（Ｘ＝Ｙ）であり、図９（ａ）について説明したように、、鏡扉５３を収納部２側の通常状態に戻した状態では、鏡扉５３の自重により上端５３ｕが下端５３ｄより前方に出て全体として前方に傾いた状態になりやすく、鏡扉５３の上端５３ｕと収納部２との間に隙間ｓが生じ、鏡扉５３が前倒れ状態で保持されてしまうことになりやすい。
【００６３】
これに対して、この実施例３の構成である図１０（ｂ）では、上部リンク部材５８ｂの支点間距離Ｘより、下部リンク部材５８ａ’の支点間距離Ｙ’（下部リンク部材５８ａ’のリベット５９ａ、５９ｃによりそれぞれ枢着されている点の間の距離）を若干長く（Ｘ＜Ｙ’）形成する。このように構成すると、図９（ｂ）について説明したように、鏡扉５３を収納部２側の通常状態に戻した状態では、鏡扉５３が収納部２の前面に沿うようになり、鏡扉５３の上端５３ｕが下端５３ｄより前方側に出で前方に傾いた状態となるようなことが防止され、この結果、通常状態で鏡扉５３が前倒れ状態になることを防止できる。
【００６４】
なお、図１０の実施例３の具体的な構成においても、上部リンク部材５８ｂの収納部２への取り付け位置（リベット５９ｄの位置）と、下部リンク部材５８ａ’の収納部２への取り付け位置（リベット５９ｃの位置）を鉛直方向でほぼ同一直線上にしておく必要があるのは、図９の原理と同じである。但し、図１０の実施例３の具体的な構成においては、上部リンク部材５８ｂを略くの字形状に形成しているので、上部リンク部材５８ｂへの取り付け位置（リベット５９ｄの位置）は収納部２の若干奥側となっている。
【００６５】
なお、この実施例３でも実施例１と同様に、レバーラッチ１３を設けており、鏡扉５３が通常の状態にある際には、図１０ではレバーラッチ１３の詳細は図示しないが、図８において説明したように、その係合部材１３ｄが収納部２側の凹部１３ａに設けたＬ型ラッチ１３ｃと係合するような構成として、鏡が手前側下方へ移動するのを防止するロック機能を備えているとともに、前倒れ防止を補助する機能も有している。このように、実施例３では、レバーラッチ１３を設けるとともに、上部リンク部材５８ｂの支点間距離Ｘより、下部リンク部材５８ａ’の支点間距離Ｙ’を若干長く（Ｘ＜Ｙ’）形成することにより、安全性の一層の向上が図られる。
【００６６】
以上、本発明に係るミラーキャビネットの最良の形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００６７】
本発明の活用例として、洗面室等の洗面化粧台に設置する他、浴室内に設置してもよい。
【図面の簡単な説明】
【００６８】
【図１】図１（ａ）（ｂ）はそれぞれ、本発明の実施例１に係るミラーキャビネットの正面図と、側面図である。
【図２】鏡扉を展開した状態における実施例１のミラーキャビネットの模式的な斜視図を示す図である。
【図３】リンク部材が枠部材と収納部とに取り付けられたより正確な構造を示す図である。
【図４】鏡扉が収納部の手前側下方に移動している状態を示すミラーキャビネットの側面図である。
【図５】図５（ａ）（ｂ）はそれぞれ、本発明の実施例２に係るミラーキャビネットの正面図と、側面図である。
【図６】図６（ａ）は、実施例２に係るミラーキャビネットの平面図であり、図６（ｂ）は、開かれた状態の側方鏡扉を示す模式的な斜視図である。
【図７】図７（ａ）は、変形例に係る鏡扉を示す側面図であり、図７（ｂ）は、変形例に係る枠部材の模式的な平面図である。
【図８】レバーラッチの模式的な拡大図である。
【図９】本発明の実施例３の原理を説明する図である。
【図１０】本発明の実施例３の構成を、説明する図である。
【符号の説明】
【００６９】
１、３１    ミラーキャビネット
２、３２    収納部
２ａ、３２ａ    開口部
２ｃ、３２ｃ    周縁部
３、５３    鏡扉
４    照明器具
５    枠部材
５ａ    上部
６、３６、３８    ヒンジ
７    鏡
８、５８  リンク部材
８ａ、５８ａ”、５８ｂ’    一端
８ｂ、５８ａ’    他端
９、９’５９ａ、５９ｃ、５９ｂ、５９ｄ    リベット
１０、６０    ダンパ
１２、６２    補強部材
１３    レバーラッチ
１３ａ    凹部
１３ｂ    バネ
１３ｃ    Ｌ字型金具
１３ｄ    取っ手部
１３ｅ    係合部材
３３  側方鏡扉
３５  側方枠部材
３７  側方鏡
５３ｕ  鏡扉の上部
５３ｄ  鏡扉の下部
６０ａ  渦巻きバネ
６３    台座
６４    ストッパ
５８ａ    下部リンク部材
５８ｂ 、５８ｃ   上部リンク部材
ｓ  鏡扉の上部と収納部前面との隙間    
【図１】
2005205160.tif 000003
【図２】
2005205160.tif 000004
【図３】
2005205160.tif 000005
【図４】
2005205160.tif 000006
【図５】
2005205160.tif 000007
【図６】
2005205160.tif 000008
【図７】
2005205160.tif 000009
【図８】
2005205160.tif 000010
【図９】
2005205160.tif 000011
【図１０】
2005205160.tif 000012